(57)【要約】  音響再生装置は、聴取位置で音波を再生する。その音響再生装置は、可聴帯域の周波数を有する可聴帯域信号を補正する補正処理部と、搬送信号を生成する搬送信号発振器と、補正処理部で補正された可聴帯域信号で搬送信号を変調して得られた変調信号を出力する変調器と、変調器から出力された変調信号に応じて音波を出力する放音部とを備える。補正処理部は、放音部から聴取位置までの距離に基づいて可聴帯域信号を補正する。この音響再生装置は、聴取位置にかかわらず可聴帯域信号を元の可聴帯域信号に高忠実度で再生することができる。
2010041394.tif 000002
【特許請求の範囲】
【請求項１】
聴取位置で音波を再生する音響再生装置であって、
可聴帯域の周波数を有する可聴帯域信号を補正する補正処理部と、
搬送信号を生成する搬送信号発振器と、
前記補正処理部で補正された前記可聴帯域信号で前記搬送信号を変調して得られた変調信号を出力する変調器と、
前記変調器から出力された前記変調信号に応じて音波を出力する放音部と、
を備え、
前記補正処理部は、前記放音部から前記聴取位置までの距離に基づいて前記可聴帯域信号を補正する、音響再生装置。
【請求項２】
前記補正処理部は、
距離の複数の値と、前記複数の値にそれぞれ対応する複数の補正曲線とを記憶する記憶部と、
前記放音部から前記聴取位置までの前記距離の値に基づいて前記複数の補正曲線から補正曲線を一意に選択する補正曲線設定部と、
前記選択された補正曲線を用いて前記可聴帯域信号を補正する補正演算部と、
を含む、請求項1に記載の音響再生装置。
【請求項３】
前記複数の補正曲線はそれぞれ、前記補正処理部で補正しない信号に応じて前記放音部から出力される可聴帯域の周波数を有する音波の音圧の周波数特性の逆特性の周波数特性を有する、請求項２に記載の音響再生装置。
【請求項４】
前記音波の前記音圧の前記周波数特性は実測により求められた特性である、請求項３に記載の音響再生装置。
【請求項５】
前記放音部から前記聴取位置までの前記距離を測定する測距部をさらに備えた、請求項１に記載の音響再生装置。
【請求項６】
前記測距部は、
超音波を発生する超音波発生器と、
前記発生した超音波を受信する超音波センサと、
を含む、請求項５に記載の音響再生装置。
【発明の詳細な説明】
【技術分野】
【０００１】
本発明は、超音波帯域の信号を搬送信号として可聴帯域の信号を変調して放射し、特定の空間範囲で可聴帯域の音波が再生可能な高い指向性を有する音響再生装置に関するものである。
【背景技術】
【０００２】
音響再生装置は、振動板を介して直接空気等の媒体中へ可聴帯域の音波を放射し、回折効果により広範囲に可聴帯域の音波を伝搬させることができる。【０００３】
これに対して、特定の空間範囲にのみ選択的に可聴帯域の音波を伝搬させるために、高い指向性を有する超指向性スピーカ、或いはパラメトリックスピーカ等の音響再生装置が実用化されている。この音響再生装置では、搬送信号である超音波帯域信号を可聴帯域の信号で変調して所定の利得で増幅し、増幅された信号が超音波振動子等の超音波を発生する放音部へ入力される。放音部はその信号を空気等の媒体中へ超音波帯域の音波として放射する。【０００４】
放音部から放射された音波は、搬送信号である超音波の伝搬特性により、高い指向性で媒体を伝搬する。超音波帯域の音波は媒体中を伝搬するうちに、媒体の非線形性により可聴帯域の音波の振幅が蓄積的に増加すると共に、超音波帯域の音波が媒体による吸収や球面拡散によって減衰する。この結果、超音波帯域に変調された可聴帯域の信号は、媒体の非線形性により元の可聴帯域信号源から出力された可聴帯域信号へと自己復調し、限られた狭い空間範囲でのみ可聴音を再生することができる。【０００５】
このような音響再生装置においては、放音部から放射され媒体中で復調された可聴帯域の音波の音圧は周波数に依存性するので、可聴帯域信号源から出力された元の可聴帯域の信号を忠実に再生することは難しい。図１０は放音部から放射される可聴帯域の音波の音圧の周波数特性Ｃ１０１を示す。図１０は、音圧が周波数に依存せずに一定の理想的な音圧の周波数特性Ｃ１０２を併せて示す。自己復調された音波の音圧は元の可聴帯域信号の大きさの２階微分に比例するので、放音部から放射され媒体中で復調された可聴帯域の音波の低い周波数帯域での音圧は高い周波数帯域での音圧より低い。可聴帯域信号が様々な周波数成分を含む場合、放音部から放射され媒体中で復調された可聴帯域の音波の音圧は周波数によってばらつきが生じ、理想的な周波数特性Ｃ１０２を有しないので、可聴帯域信号を高忠実度で復調できない。【０００６】
図１１は特許文献１に記載されている従来の音響再生装置１０１のブロック図である。音響再生装置１０１は、可聴帯域信号源１０２と、可聴帯域信号源１０２からの可聴帯域信号を補正する補正処理部１０３と、補正処理部１０３で補正された信号で搬送信号を変調して変調信号を出力する変調器１０４と、変調器１０４からの変調信号を増幅するパワーアンプ１０５と、パワーアンプ１０５で増幅された信号を外部へ出力する放音部１０６とを備える。【０００７】
図１２は図１０に示す音圧の周波数特性Ｃ１０１、Ｃ１０２と、補正処理部１０３が可聴帯域信号に施す補正での補正曲線Ｐ１０１とを示す。補正曲線Ｐ１０１は周波数特性Ｃ１０１と上下逆の特性を有する。このように、補正処理部１０３は可聴帯域信号源からの可聴帯域信号の振幅を補正曲線Ｐ１０１で補正して出力する。これにより、放音部７から出て媒体で自己復調した可聴帯域信号を再生する。【０００８】
しかし、図１１に示す音響再生装置１０１では、位置によって可聴帯域信号を忠実に復調できない。
【先行技術文献】
【特許文献】
【０００９】
【特許文献１】特開２００４−３２８２３６号公報
【発明の概要】
【００１０】
音響再生装置は、聴取位置で音波を再生する。その音響再生装置は、可聴帯域の周波数を有する可聴帯域信号を補正する補正処理部と、搬送信号を生成する搬送信号発振器と、補正処理部で補正された可聴帯域信号で搬送信号を変調して得られた変調信号を出力する変調器と、変調器から出力された変調信号に応じて音波を出力する放音部とを備える。補正処理部は、放音部から聴取位置までの距離に基づいて可聴帯域信号を補正する。
【００１１】
この音響再生装置は、聴取位置にかかわらず元の可聴帯域信号を高忠実度で再生することできる。
【図面の簡単な説明】
【００１２】
【図１Ａ】図１Ａは本発明の実施の形態１における音響再生装置のブロック図である。
【図１Ｂ】図１Ｂは実施の形態１における音響再生装置の放音部の概略図である。
【図２】図２は従来の音響再生装置から出力されて自己復調された可聴帯域音波の伝播特性を示す。
【図３】図３は実施の形態１における音響再生装置から出力されて自己復調された可聴帯域音波の音圧の周波数特性を示す。
【図４】図４は実施の形態１における音響再生装置の補正処理部の補正特性を示す。
【図５】図５は実施の形態１における音響再生装置から出力されて自己復調された音波の伝搬特性を示す。
【図６】図６は実施の形態１における音響再生装置から出力されて自己復調された音波の音圧の周波数特性を示す。
【図７】図７は実施の形態１における音響再生装置の補正処理部のブロック図である。
【図８】図８は本発明の実施の形態２における音響再生装置のブロック図である。
【図９】図９は実施の形態２における音響再生装置の測距部の概略図である。
【図１０】図１０は音波の音圧の周波数特性を示す。
【図１１】図１１は従来の音響再生装置のブロック図である。
【図１２】図１２は従来の音響再生装置の補正処理部の補正特性を示す。
【発明を実施するための形態】
【００１３】
（実施の形態１）
図１Ａは本発明の実施の形態１における音響再生装置１のブロック図である。可聴帯域信号源２は、可聴帯域の周波数を有する可聴帯域信号を発生する。可聴帯域は概ね２０Ｈｚ〜２０ｋＨｚである。補正処理部３は可聴帯域信号を補正する。補正処理部３で補正された信号は変調器４へ送られる。搬送信号発振器５は、可聴帯域の最高周波数より高い周波数を有する搬送信号を発生する。実施の形態１では、搬送信号の周波数は２０ｋＨｚより高い超音波帯域の周波数である。変調器４は補正処理部３で補正された信号で搬送信号を振幅変調で変調して得られる変調信号を出力する。変調器４から出力された変調信号はパワーアンプ６で増幅され、放音部７へ送られる。
【００１４】
図１Ｂは放音部７の概略図である。放音部７は複数の超音波振動子７Ａにより構成されており、パワーアンプ６から送られた信号により超音波振動子７Ａ内にそれぞれ設けられた圧電素子が振動することで、空気等の媒体にその信号に応じた音波を放射する。この音波は搬送波信号の周波数を有し、可聴帯域の最高周波数より高い周波数を有する超音波である。
【００１５】
放音部７から媒体へ超音波として放射された音波は、超音波の伝搬特性の特徴である高い指向性を持って媒体を伝搬する。超音波帯域の音波は媒体中を伝搬するうちに、媒体の非線形性により、可聴帯域の音波の振幅が蓄積的に増加する。これと共に、超音波帯域の周波数の搬送波信号が媒体による吸収や球面拡散によって減衰する。この結果、放音部７から放射された音波は搬送波信号を変調している可聴帯域信号による可聴帯域の周波数の音波に自己復調する。
【００１６】
このように、音響再生装置１では、高い指向性を有する超音波を搬送信号として利用して放音部７から音波を放射することで、限られた特定の位置にのみ可聴帯域信号を再生する。音響再生装置１を美術館や博物館の展示物の説明用のスピーカとして用いた場合、特定の人物のみに音声を伝えることが可能となる。
【００１７】
補正処理部３には外部入力部８が接続されている。使用者は外部入力部８を操作して、放音部７から音波を聴取する聴取位置までの距離を手動で設定する。
【００１８】
次に、補正処理部３において可聴帯域信号を補正する方法について説明する。
【００１９】
一般に、放音部７から出力され媒体中で復調された可聴帯域の音波の伝搬特性は周波数によって変わる。すなわち、放音部７から出力され媒体中で復調された可聴帯域の音波の音圧はその周波数及び放音部７から音波を聴取する聴取位置までの距離によって変わる。
【００２０】
図２は、Ｋｈｏｋｈｌｏｖ−Ｚａｂｏｌｏｔｓｋａｙａ−Ｋｕｚｎｅｔｓｏｖ（ＫＺＫ）理論式を基に求めた放音部７から再生される音波の伝搬特性を示す。図２において、横軸は放音部７から聴取位置までの距離を示し、縦軸は音波の音圧を示す。図２に示すように、音波の周波数ｆ１、周波数ｆ２、周波数ｆ３（ｆ１＜ｆ２＜ｆ３）でのそれぞれの伝搬特性を示す曲線は異なり、さらに各曲線（周波数ｆ１〜ｆ３のそれぞれ）において、音圧は放音部７からの距離によって変化する。
【００２１】
図３は、ＫＺＫ理論式を基に求めた、図2に示す聴取距離の値ｄ１、ｄ２における音圧の周波数特性を示す。図３において、横軸は音波の周波数を示し、縦軸は音波の音圧を示す。最低周波数ｆｎと最高周波数ｆｍはそれぞれ放音部７から放射される音波の周波数成分のうち最も低い周波数と最も高い周波数である。なお、図３に示す音圧の周波数特性は、音響再生装置１において補正処理部３を設けない場合の放音部７から出力され媒体中で復調された可聴帯域の音波の音圧の周波数特性に相当する。
【００２２】
図３に示すように、放音部７から出力され媒体中で復調された可聴帯域の音波では、低周波数の成分の音圧は高周波数の成分の音圧より大きい。聴取距離の値ｄ１、ｄ２での周波数特性が異なる、すなわち、放音部７から聴取位置までの距離により音圧の周波数特性が変化する。
【００２３】
図１１に示す従来の音響再生装置１０１は、放音部１０７から聴取位置までの距離にかかわらず同じ音波を出力するので、聴取位置によっては、元の可聴帯域信号を高忠実度で復調することが困難な場合がある。
【００２４】
図３に示す距離の値ｄ１、ｄ２の聴取位置において元の可聴帯域信号を忠実に復調するために、自己復調された可聴帯域の音波の音圧の周波数特性に応じて補正処理部３は可聴帯域信号を補正する。図４は、補正処理部３が記憶する、聴取距離の値ｄ１、ｄ２にそれぞれ対応する補正曲線Ｐ１、Ｐ２を示す。
【００２５】
補正曲線Ｐ１、Ｐ２は以下の方法で導出する。まず放音部７から使用者が聴取する位置までの聴取距離の値ｄ１、ｄ２において自己復調された可聴帯域の音波の音圧の周波数特性をＫＺＫ理論式により求める。さらに、求められた周波数特性に対して逆特性の周波数特性を有するように補正曲線Ｐ１、Ｐ２を作成する。すなわち、複数の補正曲線Ｐ１、Ｐ２はそれぞれ、補正処理部３で補正しない信号に応じて放音部７から出力される可聴帯域の周波数を有する音波の音圧の周波数特性の逆特性の周波数特性を有する。ここで、逆特性の周波数特性とは、音圧を縦軸で表し、周波数を横軸で表した周波数特性のグラフを縦軸の方向に反転させて得られる周波数特性である。すなわち、図４に示す補正曲線Ｐ１、Ｐ２は、図３に示す放音部７から聴取位置までの距離の値ｄ１、ｄ２での音波の音圧の周波数特性を縦軸の方向に反転させた形状を有する。
【００２６】
なお、実施の形態１では補正曲線Ｐ１、Ｐ２をＫＺＫ理論式を基にして求める。ＫＺＫ理論式に類する近似式、もしくは、実測値を基にして求めてもよい。実測値を基にして求めた場合、補正曲線Ｐ１、Ｐ２を実使用に即した正確なものにすることができる。
【００２７】
このように、実施の形態１における音響再生装置１の補正処理部３は、放音部７から聴取位置までの距離の複数の値ｄ１、ｄ２と、複数の値ｄ１、ｄ２にそれぞれ対応する複数の補正曲線Ｐ１、Ｐ２を記憶する。この結果、補正処理部３は様々な聴取位置に対応して最適な補正曲線を複数の補正曲線から選択することができ、選択された補正曲線で可聴帯域信号を補正することで可聴帯域信号を元の可聴帯域信号に高忠実度で復調することができる。なお、聴取位置の距離の複数の値の数は２に限定されず、３以上の任意の数であってもよい。補正処理部３は距離の値にそれぞれ対応する複数の補正曲線を記憶する。
【００２８】
放音部７から聴取位置までの距離が値ｄ１であるときの音響再生装置１の動作を説明する。
【００２９】
図５は音響再生装置１の放音部７から聴取位置までの距離が値ｄ１であるときのその聴取位置での音波の音圧の周波数特性を示す。距離の値がｄ１であるので、補正処理部３は可聴帯域信号を補正曲線Ｐ１で補正する。すなわち、補正処理部３の可聴帯域信号の周波数ｆ１の成分に対する利得を、周波数ｆ３の成分に対する利得より大きくする。これにより、距離の値ｄ１の聴取位置において周波数ｆ１及び周波数ｆ３の成分の音圧を周波数ｆ２の成分の音圧に一致させることができる。これにより、放音部７から出力されて媒体中で復調された可聴帯域の音波の音圧の周波数特性を図６に示す理想的な周波数特性のように、距離の値ｄ１において平坦にすることができ、可聴帯域信号源２から出力される可聴帯域信号を元の可聴帯域信号に高忠実度で復調することができる。
【００３０】
同様に、放音部７から聴取位置までの距離が値ｄ２である場合は、補正処理部３は補正曲線Ｐ２で上記と同様に可聴帯域信号を補正する。これにより、距離の値ｄ２である聴取位置において、可聴帯域信号源２から出力される可聴帯域信号を高忠実度で復調することができる。
【００３１】
実施の形態１における音響再生装置１では、周波数ｆ１及び周波数ｆ３の成分の音圧を周波数ｆ２の成分に音圧に一致させるが、これに限るものではなく、周波数ｆ１〜ｆ３の成分の音圧を周波数ｆ１の成分または周波数ｆ３の成分の音圧に一致させても良く、あるいは周波数ｆ１〜ｆ３の成分の音圧以外の任意の音圧に一致させてもよい。
【００３２】
放音部７から聴取位置までの距離の複数の値と、それらの値にそれぞれ対応する複数の補正曲線は補正テーブルとして補正処理部３に記憶されている。音響再生装置１では、放音部７から聴取位置までの距離の値を外部入力部８により設定する。補正処理部３は補正テーブルを参照して、記憶する複数の補正曲線から、設定された値に対応する補正曲線を一意に決定し、選出された補正曲線で可聴帯域信号源２から送られた可聴帯域信号の振幅を補正する。
【００３３】
次に、補正処理部３の動作の詳細について以下に説明する。図７は補正処理部３のブロック図である。補正処理部３は、距離パラメータ設定部３Ａと、補正曲線設定部３Ｂと、補正曲線設定部３Ｂに接続された記憶部３Ｃと、補正演算部３Ｄとを備える。距離パラメータ設定部３Ａは外部入力部８と接続され、補正演算部３Ｄは可聴帯域信号源２及び変調器４と接続されている。
【００３４】
外部入力部８で、放音部７から聴取位置までの距離の値を設定すると、設定された値は信号として距離パラメータ設定部３Ａに入力される。距離パラメータ設定部３Ａは外部入力部８からその信号を受けると、ｎ個の値ｄ１〜ｄｎから入力された信号に対応する値を１つ選択し、選択された値を信号として補正曲線設定部３Ｂに送る。補正曲線設定部３Ｂは、送られたその信号を基に、記憶部３Ｃに記憶された補正テーブルでの複数の補正曲線Ｐ１〜Ｐｎから、選択された値に対応する補正曲線を選択する。
【００３５】
補正演算部３Ｄは補正曲線設定部３Ｂで選択された補正曲線により、可聴帯域信号源２より送られる可聴帯域信号の振幅を補正して変調器４へ送る。
【００３６】
このように、外部入力部８にて音響再生装置１を使用する使用者が放音部７から聴取位置までの距離を設定することで、任意の聴取位置にて可聴帯域信号を元の可聴帯域信号に高忠実度で復調した音波を聴取することが可能となる。
【００３７】
（実施の形態２）
図８は本発明の実施の形態２における音響再生装置９のブロック図である。図８において、図１Ａに示す実施の形態１における音響再生装置１と同じ部分には同じ参照番号を付す。実施の形態２における音響再生装置９は、図１Ａに示す実施の形態１における音響再生装置１の外部入力部８の代わりに測距部１０を備える。音響再生装置９では補正処理部３には測距部１０が接続されている。測距部１０は放音部７から聴取位置までの距離を測定する。
【００３８】
図９は測距部１０の概略図である。測距部１０は、超音波を発生する超音波発生器１０Ａと、超音波を受信する超音波センサ１０Ｂと、演算部１０Ｃを備える。超音波発生器１０Ａから送られた超音波は、聴取位置Ｘ１に存在する使用者に到達して反射され、超音波センサ１０Ｂで受信される。演算部１０Ｃは超音波発生器１０Ａから超音波を送ってから超音波センサで受信するまでの時間を測定し、測定された時間を基に、放音部７から聴取位置Ｘ１までの距離Ｌ１の値を求める。ここで、超音波発生器１０Ａと超音波センサ１０Ｂは、独立した２つの超音波振動子よりそれぞれ形成されている。あるいは、超音波発生器１０Ａは超音波振動子で形成され、超音波センサ１０Ｂは超音波発生器１０Ａの超音波振動子で共用して形成されてもよい。
【００３９】
測距部１０は、超音波以外にも例えば光を利用したセンサで形成してもよいが、超音波を用いることが望ましい。図１Ｂに示すように、放音部７は複数の超音波振動子７Ａで構成されているので、放音部７の複数の超音波振動子７Ａのうちの一部の超音波振動子を超音波発生器１０Ａと超音波センサ１０Ｂとして用いることができる。この場合には、放音部７から聴取位置Ｘ１までの距離Ｌ１と測距部１０から聴取位置Ｘ１までの距離は一致するので、測距部１０は距離Ｌ１の値を正確に測定することができる。
【００４０】
測距部１０で測定された放音部７から聴取位置Ｘ１までの距離Ｌ１の値は信号として補正処理部３に入力される。
【００４１】
補正処理部３は、実施の形態１における音響再生装置１と同様に、測定された値に基づき複数の補正曲線Ｐ１〜Ｐｎから補正曲線を一意に選択する。補正処理部３は、選択された補正曲線で可聴帯域信号源２から送られた可聴帯域信号の振幅を補正する。これにより、音響再生装置９は、任意の聴取位置において可聴帯域信号源２から出力される可聴帯域信号を元の可聴帯域信号に高忠実度で復調することが可能となる。
【００４２】
実施の形態２における音響再生装置９は測距部１０を備えているので、使用者が手動で放音部７から聴取位置までの距離の値を設定せずとも、実施の形態１における音響再生装置１と同様の効果を得ることができ、使い勝手の優れたものとなっている。
【００４３】
なお、実施の形態１、２において距離Ｌ１の値ｄ１〜ｄｎは、一般的に距離の単位で表される値のみならず、距離に対応する他の値であってもよい。
【産業上の利用可能性】
【００４４】
本発明による音響再生装置は、聴取位置にかかわらず可聴帯域信号を高忠実度で再生することでき、限られた空間範囲のみで可聴帯域の音を再生する、指向性の高い音響再生装置として好適である。
【符号の説明】
【００４５】
１    音響再生装置
２    可聴帯域信号源
３    補正処理部
３Ｂ    補正曲線設定部
３Ｃ    記憶部
３Ｄ    補正演算部
４    変調器
５    搬送信号発振器
７    放音部
９    音響再生装置
１０    測距部
１０Ａ    超音波発生器
１０Ｂ    超音波センサ
【図１Ａ】
2010041394.tif 000003
【図１Ｂ】
2010041394.tif 000004
【図２】
2010041394.tif 000005
【図３】
2010041394.tif 000006
【図４】
2010041394.tif 000007
【図５】
2010041394.tif 000008
【図６】
2010041394.tif 000009
【図７】
2010041394.tif 000010
【図８】
2010041394.tif 000011
【図９】
2010041394.tif 000012
【図１０】
2010041394.tif 000013
【図１１】
2010041394.tif 000014
【図１２】
2010041394.tif 000015
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
聴取位置で音波を再生する音響再生装置であって、
可聴帯域の周波数を有する可聴帯域信号を補正する補正処理部と、
搬送信号を生成する搬送信号発振器と、
前記補正処理部で補正された前記可聴帯域信号で前記搬送信号を変調して得られた変調信号を出力する変調器と、
前記変調器から出力された前記変調信号に応じて音波を出力する放音部と、を備え、
前記補正処理部は、距離の複数の値と、前記複数の値にそれぞれ対応する複数の補正曲線とを記憶する記憶部と、
前記放音部から前記聴取位置までの前記距離の値に基づいて前記複数の補正曲線から補正曲線を一意に選択する補正曲線設定部と、
前記選択された補正曲線を用いて前記可聴帯域信号を補正する補正演算部と、
を含む、音響再生装置。
【請求項２】
（削除）
【請求項３】
前記複数の補正曲線はそれぞれ、前記補正処理部で補正しない信号に応じて前記放音部から出力される可聴帯域の周波数を有する音波の音圧の周波数特性の逆特性の周波数特性を有する、請求項１に記載の音響再生装置。
【請求項４】
前記音波の前記音圧の前記周波数特性は実測により求められた特性である、請求項３に記載の音響再生装置。
【請求項５】
前記放音部から前記聴取位置までの前記距離を測定する測距部をさらに備えた、請求項１に記載の音響再生装置。
【請求項６】
前記測距部は、
超音波を発生する超音波発生器と、
前記発生した超音波を受信する超音波センサと、
を含む、請求項５に記載の音響再生装置。
【手続補正書】
【提出日】平成23年2月1日(2011.2.1)
【手続補正１】
【補正対象書類名】明細書
【補正対象項目名】００３１
【補正方法】変更
【補正の内容】
【００３１】
実施の形態１における音響再生装置１では、周波数ｆ１及び周波数ｆ３の成分の音圧を周波数ｆ２の成分の音圧に一致させるが、これに限るものではなく、周波数ｆ１〜ｆ３の成分の音圧を周波数ｆ１の成分または周波数ｆ３の成分の音圧に一致させても良く、あるいは周波数ｆ１〜ｆ３の成分の音圧以外の任意の音圧に一致させてもよい。
【国際調査報告】
2010041394.tif 000016
2010041394.tif 000017
2010041394.tif 000018
2010041394.tif 000019